(57)【要約】【課題】製品の据付工事前に、確実に必要寸法及び情報を提供し、据付工事を効率よく行うことができること。【解決手段】運転時、製品の外郭より突き出して可動する可動部を有する製品１の梱包状態において、製品表面を覆うシート２表面に製品１の可動範囲あるいは製品の据付範囲の外形を示す型紙４を併記したことにより、据付工事作業者が製品を梱包材から取り出す際に、一目で製品表面に貼付されたシート２上に記載の型紙４に気づくことができ、据付工事作業者に据付工事前に確実に製品に係る情報を提供することができる。【選択図】図２
2010196995.tif 000002
【特許請求の範囲】
【請求項１】
運転時、製品の外郭より突き出して可動する可動部を有する空気調和機であって、前記空気調和機の梱包状態において製品表面を覆うシート表面に前記製品の可動範囲あるいは製品の据付範囲の外形を示す型紙を記載したことを特徴とする空気調和機。
【請求項２】
前記シートの型紙近傍に折り線を記載し、折り曲げて型紙を使用するようにしたことを特徴とする請求項１記載の空気調和機。
【請求項３】
製品より長い幅のシートの片側を手前に折り返した状態で製品表面に貼り付け、当該折り返し部に型紙を記載したことを特徴とする請求項１記載の空気調和機。
【発明の詳細な説明】
【技術分野】
【０００１】
本発明は、空気調和機に関し、さらに詳しくは空気調和機の据付装置の構成に関するものである。
【背景技術】
【０００２】
従来の空気調和機について図面を参照しながら説明する。図５は従来の空気調和機の室内ユニットと同梱されている据付装置を示した斜視図であり、図６は従来の空気調和機の室内ユニットと表面に貼付された製品情報の印刷物（銘板）を示す正面図である。
【０００３】
従来の空気調和機は製品１と据付板８と共に据付時に必要な本体寸法やメ―カーが推奨する周辺寸法が記載された据付工事説明書を付随している。また、図５に示すように製品１の可動範囲あるいは製品１の据付範囲に係る情報を記載した型紙９を据付板８と共に同梱しているものや、図６に示すように製品１表面に製品に係る注意喚起情報を記載した銘板１０を貼り付けているものもある（例えば、特許文献１参照）。
【特許文献１】特開２００８−１９０８３９号公報
【発明の開示】
【発明が解決しようとする課題】
【０００４】
しかしながら、本来、空気調和機の据付工事を行うときは、空気調和機の機種毎に異なる各種据付寸法を確認するため、据付工事実施前に据付工事説明書を読む必要があるが、一連の作業手順を分かっている工事作業者は、わざわざ据付工事説明書を読む行為を行わない場合がある。その為、上下風向羽根や前面パネルが運転時に停止位置から大きく可動するタイプの機種などの場合、空気調和機を据付できた場合でも、運転時に可動部分が周囲の壁や梁、カーテンレール等に当たり使用できず、再度据付工事をやり直さなければならないという課題を有していた。
【０００５】
また、上記事態を回避する為に製品の可動範囲あるいは製品の据付範囲に係る情報を記載した型紙を据付板と共に同梱したものや、製品表面に製品に係る注意喚起情報を記載した銘板を貼り付けているものもあるが、型紙の同梱場所が分かりづらかったり、据付工事終了後には廃棄されてしまう銘板を複数枚貼付するという紙資源の非有効活用につながっていた。
【０００６】
本発明は、前記従来の課題を解決するもので、空気調和機の据付工事作業者に、据付工事前に確実に必要な製品情報及び必要寸法を提供することができ、また紙資源の有効活用を図るものである。
【課題を解決するための手段】
【０００７】
前記従来の課題を解決するために、運転時、製品の外郭より突き出して可動する可動部を有する製品の梱包状態において、製品表面を覆うシート表面に製品可動範囲あるいは製品の据付範囲の外形を示す記載したことを特徴とするものである。
【０００８】
上記の構成によって、据付工事作業者が製品を梱包材から取り出す際に、一目で製品表面に貼付されたシート上に記載の型紙に気づくことができ、据付工事作業者に据付工事前に確実に製品に係る情報を提供することができる。
【発明の効果】
【０００９】
本発明の空気調和機は、運転時、製品の外郭より突き出して可動する可動部を有する製
品の梱包状態において、据付工事作業者に据付工事前に確実に製品に係る情報を提供することができ、不適切な位置での据付工事により、運転時に可動部分が周囲の壁や梁、カーテンレール等に当たってしまう等といった問題を未然に防止することができる。
【発明を実施するための最良の形態】
【００１０】
第１の発明は、運転時、製品の外郭より突き出して可動する可動部を有する空気調和機であって、前記空気調和機の梱包状態において製品表面を覆うシート表面に前記製品の可動範囲あるいは製品の据付範囲の外形を示す型紙を記載したことにより、据付工事作業者が製品を梱包材から取り出す際に、一目で製品表面に貼付されたシート上に記載の型紙に気づくことができ、据付工事作業者に据付工事前に確実に製品に係る情報を提供することができる。また、前記型紙部分を切り取ったり、外形形状に合わせシートを折り曲げるなどして、型紙を使用することで、不適切な位置での据付工事により、運転時に可動部分が周囲の壁や梁、カーテンレール等に当たってしまう等といった問題を未然に防止することができる。さらには、１枚のシートに製品情報と型紙を併記することで、用紙の枚数削減を図り、紙資源の有効活用と安価に製品情報提供をすることができる。
【００１１】
第２の発明は、前記シートの型紙近傍に折り線を記載し、折り曲げて型紙を使用するようにしたことにより、折り線で折り曲げて型紙を使用することで薄いシートでも２重にすることでコシができ、型紙の使用時に倒れを防止し、作業性を損ねることなく据付工事をすることができる。
【００１２】
第３の発明は、製品より長い幅のシートの片側を手前に折り返した状態で製品表面に貼り付け、当該折り返し部に型紙を記載したことにより、製品表面に貼り付けられたシートを剥がす事なく、折り返し部のみを切り取ることで型紙を使用することができ、シートは据付工事終了時まで製品表面の傷付き防止シートとして使用することができる。
【００１３】
以下、本発明の実施の形態について、図面を参照しながら説明する。従来の技術で説明した図５、図６と共通の構成要素については同一番号を付して、詳細説明を省略する。なお、この実施の形態によって本発明が限定されるものではない。
【００１４】
（実施の形態１）
図１は本発明の実施の形態１による製品機器と製品表面に貼付された据付装置の梱包状態における斜視図である。図２は本発明の実施の形態１による製品機器と製品表面に貼付された据付装置を示す正面図である。
【００１５】
図１は空気調和機の室内機（製品１）の梱包の様子を示しており、梱包材５によって梱包されるとともに、シート２がその上部に貼付され製品が疵付くのを防いでいる。
【００１６】
また、図２に示すように、運転時、製品の外郭より突き出して可動する可動部を有する製品１の梱包状態において、製品１表面を覆うシート２表面には製品１に係る注意喚起情報３を記載するとともに、空気調和機の上下風向羽根等の可動範囲あるいは製品の据付範囲の外形を示す型紙４を併記している。
【００１７】
型紙４は、製品１である室内機の略断面形状に形成され、可動部の可動する軌跡を表示している。これによって、室内機の上下方向に必要な空間を視覚的にかつ正確に判断できるようにしている。型紙４を壁や天井などに当てて位置関係を事前に把握することで、再度据付工事をやり直さなければならないという事態を防ぐことができる。
【００１８】
また、上述の構成によって、据付工事作業者が製品１を梱包材５から取り出す際に、一目で製品１表面に貼付されたシート２上に記載の型紙４に気づくことができ、据付工事作
業者に据付工事前に確実に製品１に係る情報を提供することができる。そして、型紙４部分を切り取ったり、外形形状に合わせシートを折り曲げるなどして、型紙４を使用することができるので、不適切な位置での据付工事によって運転時に可動部分が周囲の壁や梁、カーテンレール等に当たってしまう等といった問題を未然に防止することができる。さらには、１枚のシート２に製品に係る注意喚起情報３と型紙４を併記することで、製品保護、注意喚起などの製品情報の提供および型紙４による誤った据付の防止とを図ることができるため、用紙の枚数削減が可能となり、紙資源の有効活用と安価に製品情報提供をすることができる。
【００１９】
（実施の形態２）
図３は本発明の第２の実施の形態による据付装置の記載例（ａ）とその使用例（ｂ）である。
【００２０】
図３に示すように、シート２の型紙４近傍に折り線６を記載し、折り曲げて型紙４を使用の旨を記載している。この場合、シート２上の製品説明部分と型紙部分との境界を確実に認識することができる。さらに、折り線６で折り曲げて型紙４を使用することで薄いシートでも２重にすることでコシができ、型紙４の使用時に倒れを防止し、作業性を損ねることなく据付工事をすることができる。
【００２１】
（実施の形態３）
図４は本発明の第３の実施の形態による据付装置の記載例（ａ）と使用例（ｂ）である。
【００２２】
図４（ａ）に示すように、製品１より長い幅のシート２の片側を手前に折り返した状態で製品１表面に貼り付ける。そして、図４（ｂ）のようにその折り返し部７に型紙４を記載したことにより、製品１表面に貼り付けられたシート２を剥がす事なく、折り返し部７のみを切り取ることで型紙４を使用することができ、シート２は据付工事終了時まで製品１表面の傷付き防止シートとして使用することができる。
【００２３】
なお、折り返し部７を折り曲げた状態で前から見える部分を型紙７の表側とした場合には、型紙７が必ず目に入り見落としたり探したりする必要がない。
【産業上の利用可能性】
【００２４】
以上のように、本発明の空気調和機は、据付工事作業者に据付工事前に確実に製品に係る情報を提供し、据付工事を効率よく行うことができるもので、その据付装置は空気調和機に限らず、周囲の構造物への干渉を考慮しながら壁面に据付ける各種機器に適用可能である。
【図面の簡単な説明】
【００２５】
【図１】本発明の実施の形態１による製品機器と製品表面に貼付された据付装置の梱包状態における斜視図
【図２】本発明の実施の形態１による製品機器と製品表面に貼付された据付装置を示す正面図
【図３】（ａ）本発明の実施の形態２による据付装置の記載例を示す図（ｂ）同使用例を示す図
【図４】（ａ）本発明の実施の形態３による据付装置の記載例を示す図（ｂ）同使用例を示す図
【図５】従来の空気調和機の室内ユニットと同梱されている据付装置を示した斜視図
【図６】従来の空気調和機の室内ユニットと表面に貼付された製品情報の銘板を示す正面図
【符号の説明】
【００２６】
１  製品
２  シート（据付装置銘板）
３  製品に係る注意喚起情報
４  型紙
５  梱包材
６  折り線
７  折り返し部
８  据付板
９  型紙（従来）
１０  製品情報銘板
【図１】
2010196995.tif 000003
【図２】
2010196995.tif 000004
【図３】
2010196995.tif 000005
【図４】
2010196995.tif 000006
【図５】
2010196995.tif 000007
【図６】
2010196995.tif 000008